(57)【要約】【課題】印刷に先立って画像データを印刷媒体に印刷したときの印刷態様を表示装置に表示させる処理を現実に印刷される印刷媒体に合わせて正確に行う。【解決手段】画像形成装置から用紙収容部設定テーブルの情報を取得する（ステップＳ１４）。用紙収容部設定テーブルにおいて印刷条件で給紙することになる用紙収容部において特殊用紙設定情報に特殊用紙ありの設定がされているときは（ステップＳ１５のＹ）、用紙収容部設定テーブルのプレビュー背景指定情報により特定される画像データを特定し、この画像データの画像を背景としてプレビュー画像に重ねあわせ、プレビュー画像を再生成する（ステップＳ１６）。そして、ステップＳ１６で再生成したプレビュー画像があるときは当該画像、そうでないときはステップＳ１３で生成したプレビュー画像を表示装置に表示する（ステップＳ１７）。【選択図】図７
2010066882.tif 000002
【特許請求の範囲】
【請求項１】
印刷媒体上に画像形成を行う画像形成装置から当該画像形成に供する印刷媒体を収容した収容部に予め定められた印刷媒体が収納されていることを示す識別子の情報を取得する情報取得手段と、
前記画像形成装置で印刷を行う条件を設定する条件設定手段と、
前記識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、
を備えている印刷表示装置。
【請求項２】
印刷媒体上に画像形成を行う画像形成装置から当該画像形成に供する印刷媒体を収容した複数の収容部に個別に予め定められた印刷媒体が収納されていることを示す識別子の情報を取得する情報取得手段と、
前記識別子により示される前記収容部にそれぞれ関連付けて画像データを記憶している画像記憶手段と、
前記画像形成装置で印刷を行う条件を設定する条件設定手段と、
前記識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、
を備えている印刷表示装置。
【請求項３】
印刷媒体上に画像形成を行う画像形成装置と、
前記画像形成装置と通信手段を介して接続された印刷表示装置と、
を備え、
前記画像形成装置は、画像形成に供する印刷媒体を収容した収容部に予め定められた印刷媒体が収納されていることを示す識別子を設定する識別子設定手段を有し、
前記印刷表示装置は、
前記画像形成装置から前記識別子設定手段で設定された識別子の情報を取得する情報取得手段と、
前記画像形成装置で印刷を行う条件を設定する条件設定手段と、
前記識別子設定手段で設定された識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、
を備えている、
印刷表示システム。
【請求項４】
印刷媒体上に画像形成を行う画像形成装置と、
前記画像形成装置と通信手段を介して接続された印刷表示装置と、
を備え、
画像形成装置は、画像形成に供する印刷媒体を収容した収容部に予め定められた印刷媒体が収納されていることを示す識別子を設定する識別子設定手段を有し、
前記印刷表示装置は、
前記画像形成装置から前記識別子設定手段で設定された識別子の情報を取得する情報取得手段と、
前記識別子が設定されている前記収容部にそれぞれ関連付けて画像データを記憶している画像記憶手段と、
前記画像形成装置で印刷を行う条件を設定する条件設定手段と、
前記識別子設定手段で設定された識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、
を備えている、
印刷表示システム。
【請求項５】
印刷媒体上に画像形成を行う画像形成装置から当該画像形成に供する印刷媒体を収容した収容部に予め定められた印刷媒体が収納されていることを示す識別子の情報を取得する情報取得手段と、
前記画像形成装置で印刷を行う条件を設定する条件設定手段と、
前記識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、
をコンピュータに実行させるコンピュータに読取可能な印刷表示制御プログラム。
【請求項６】
印刷媒体上に画像形成を行う画像形成装置から当該画像形成に供する印刷媒体を収容した複数の収容部に個別に予め定められた印刷媒体が収納されていることを示す識別子の情報を取得する情報取得手段と、
前記識別子が設定されている前記収容部にそれぞれ関連付けて画像データを記憶している画像記憶手段と、
前記画像形成装置で印刷を行う条件を設定する条件設定手段と、
前記識別子及び前記条件設定手段で設定された条件に基づいて、前記画像形成装置で行う印刷に使用される印刷媒体が前記予め定められた印刷媒体であるか否かを判定する印刷媒体判定手段と、
前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、
をコンピュータに実行させるコンピュータに読取可能な印刷表示制御プログラム。
【発明の詳細な説明】
【技術分野】
【０００１】
本発明は、印刷表示装置、印刷表示システム及び印刷表示制御プログラムに関する。
【背景技術】
【０００２】
プリンタが印刷後の後処理としてステープルやパンチの処理を実際に実行できるのかというプリンタの状態を反映して、プレビュー画像を作成して表示する技術について開示されている。
【特許文献１】特開２００７‐２３３９４２号公報
【発明の開示】
【発明が解決しようとする課題】
【０００３】
画像形成装置を制御するプリンタドライバにはプレビュー機能が搭載されていることが一般的である。プレビュー機能は、画像データで印刷を行う前に用紙に当該画像データに基づいて印刷したときの印刷態様を生成してディスプレイに表示し、印刷結果を印刷前に確認するための機能である。
【０００４】
しかし、画像形成装置において印刷媒体である用紙を収容した用紙収容部内に普通紙などと異なる特殊紙（例えば予め罫線や社印などが印刷されたプレプリント用紙など）がユーザの意図しないところでセットされていたときには、プレビュー画像ではユーザの意図通りの画像が表示されたとしても、実際に印刷してみると特殊紙に印刷されてしまうので、プレビュー画像では意図していなかった画像が印刷されてしまうという不具合がある。
【０００５】
本発明の目的は、印刷に先立って画像データを印刷媒体に印刷したときの印刷態様を表示装置に表示させる処理を現実に印刷される印刷媒体に合わせて正確に行うことである。
【課題を解決するための手段】
【０００６】
請求項１に記載の発明は、印刷媒体上に画像形成を行う画像形成装置から当該画像形成に供する印刷媒体を収容した収容部に予め定められた印刷媒体が収納されていることを示す識別子の情報を取得する情報取得手段と、前記画像形成装置で印刷を行う条件を設定する条件設定手段と、前記識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、を備えている印刷表示装置である。
【０００７】
請求項２に記載の発明は、印刷媒体上に画像形成を行う画像形成装置から当該画像形成に供する印刷媒体を収容した複数の収容部に個別に予め定められた印刷媒体が収納されていることを示す識別子の情報を取得する情報取得手段と、前記識別子により示される前記収容部にそれぞれ関連付けて画像データを記憶している画像記憶手段と、前記画像形成装置で印刷を行う条件を設定する条件設定手段と、前記識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、を備えている印刷表示装置である。
【０００８】
請求項３に記載の発明は、印刷媒体上に画像形成を行う画像形成装置と、前記画像形成装置と通信手段を介して接続された印刷表示装置と、を備え、前記画像形成装置は、画像形成に供する印刷媒体を収容した収容部に予め定められた印刷媒体が収納されていることを示す識別子を設定する識別子設定手段を有し、前記印刷表示装置は、前記画像形成装置から前記識別子設定手段で設定された識別子の情報を取得する情報取得手段と、前記画像形成装置で印刷を行う条件を設定する条件設定手段と、前記識別子設定手段で設定された識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、を備えている、印刷表示システムである。
【０００９】
請求項４に記載の発明は、印刷媒体上に画像形成を行う画像形成装置と、前記画像形成装置と通信手段を介して接続された印刷表示装置と、を備え、画像形成装置は、画像形成に供する印刷媒体を収容した収容部に予め定められた印刷媒体が収納されていることを示す識別子を設定する識別子設定手段を有し、前記印刷表示装置は、前記画像形成装置から前記識別子設定手段で設定された識別子の情報を取得する情報取得手段と、前記識別子が設定されている前記収容部にそれぞれ関連付けて画像データを記憶している画像記憶手段と、前記画像形成装置で印刷を行う条件を設定する条件設定手段と、前記識別子設定手段で設定された識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、を備えている、印刷表示システムである。
【００１０】
請求項５に記載の発明は、印刷媒体上に画像形成を行う画像形成装置から当該画像形成に供する印刷媒体を収容した収容部に予め定められた印刷媒体が収納されていることを示す識別子の情報を取得する情報取得手段と、前記画像形成装置で印刷を行う条件を設定する条件設定手段と、前記識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、印刷の画像データの画像と予め定められた画像データの画像とを重ね合わせた画像により前記印刷の画像データを当該印刷媒体に印刷したときの印刷態様を表示装置に表示する表示手段と、をコンピュータに実行させるコンピュータに読取可能な印刷表示制御プログラムである。
【００１１】
請求項６に記載の発明は、印刷媒体上に画像形成を行う画像形成装置から当該画像形成に供する印刷媒体を収容した複数の収容部に個別に予め定められた印刷媒体が収納されていることを示す識別子の情報を取得する情報取得手段と、前記識別子が設定されている前記収容部にそれぞれ関連付けて画像データを記憶している画像記憶手段と、前記画像形成装置で印刷を行う条件を設定する条件設定手段と、前記識別子及び前記条件設定手段で設定された条件に基づいて、前記画像形成装置で行う印刷に使用される印刷媒体が前記予め定められた印刷媒体であるか否かを判定する印刷媒体判定手段と、前記印刷媒体判定手段では前記画像形成装置で行う印刷に使用される印刷媒体が前記予め定められた印刷媒体であると判定したときは、当該印刷媒体を収容している前記収容部と関連付けて前記画像記憶手段に記憶されている画像データの画像と印刷の画像データの画像とを重ね合わせた画像により前記印刷の画像データを当該印刷媒体に印刷したときの印刷態様を表示装置に表示する表示手段と、をコンピュータに実行させるコンピュータに読取可能な印刷表示制御プログラムである。
【発明の効果】
【００１２】
請求項１に記載の発明によれば、画像や色などが予め表示された印刷媒体で印刷が行われる場合でも、印刷の画像データを印刷媒体に印刷したときの印刷態様を表示装置に表示する処理を現実に印刷される印刷媒体に合わせて正確に行う。
【００１３】
請求項２に記載の発明によれば、複数の収容部にそれぞれ異なる画像や色などが予め表示された印刷媒体が収容されている場合でも、印刷の画像データを印刷媒体に印刷したときの印刷態様を表示装置に表示する処理を現実に印刷される印刷媒体に合わせて正確に行う。
【００１４】
請求項３に記載の発明によれば、画像や色などが予め表示された印刷媒体で印刷が行われる場合でも、印刷の画像データを印刷媒体に印刷したときの印刷態様を表示装置に表示する処理を現実に印刷される印刷媒体に合わせて正確に行う。
【００１５】
請求項４に記載の発明によれば、複数の収容部にそれぞれ異なる画像や色などが予め表示された印刷媒体が収容されている場合でも、印刷の画像データを印刷媒体に印刷したときの印刷態様を表示装置に表示する処理を現実に印刷される印刷媒体に合わせて正確に行う。
【００１６】
請求項５に記載の発明によれば、画像や色などが予め表示された印刷媒体で印刷が行われる場合でも、印刷の画像データを印刷媒体に印刷したときの印刷態様を表示装置に表示する処理を現実に印刷される印刷媒体に合わせて正確に行う。
【００１７】
請求項６に記載の発明によれば、複数の収容部にそれぞれ異なる画像や色などが予め表示された印刷媒体が収容されている場合でも、印刷の画像データを印刷媒体に印刷したときの印刷態様を表示装置に表示する処理を現実に印刷される印刷媒体に合わせて正確に行う。
【発明を実施するための最良の形態】
【００１８】
以下、本発明の一実施の形態について図面を参照しつつ説明する。
【００１９】
図１は、本発明の一実施の形態である画像形成システムの概略構成を示す説明図である。
【００２０】
この画像形成システムは、印刷表示システムを実施するもので、印刷媒体である用紙上に画像形成を行う画像形成装置１と、パーソナルコンピュータ（ＰＣ）３と、スキャナ４とがＬＡＮ２などの通信手段を介して接続されている。
【００２１】
図２は、本発明の一実施の形態である画像形成装置の概略構成を示す説明図である。この画像形成装置１は、いわゆるタンデム方式でカラー画像の形成が可能な電子写真方式の画像形成装置である。
【００２２】
この画像形成装置１は、用紙などの印刷媒体に電子写真方式によりトナー画像を形成する作像器となる画像形成プロセス部１０と、画像形成装置１の全体の動作を制御する制御部５０とを備えている。また、画像読取装置４等から受信した印刷ジョブの画像データに画像処理を施す画像処理部５１と、例えばハードディスク装置（Hard Disk Drive）により実現される外部記億部５２とを備えている。
【００２３】
画像形成プロセス部１０は、一定の間隔を置いて並列して配置された４つの画像形成ユニット１１Ｙ，１１Ｍ，１１Ｃ，１１Ｋ（以下、これらを単に「画像形成ユニット１１」ともいう）を備えている。画像形成ユニット１１Ｙ，１１Ｍ，１１Ｃ，１１Ｋは、それぞれイエロー（Ｙ）、マゼンタ（Ｍ）、シアン（Ｃ）、ブラック（Ｋ）のトナー像をそれぞれ形成する。
【００２４】
画像形成ユニット１１Ｙ，１１Ｍ，１１Ｃ，１１Ｋの基本構成はいずれも共通であるため、ここでは代表して画像形成ユニット１１Ｋについて説明する。画像形成ユニット１１Ｋは、矢印Ａ方向に回転しながら静電潜像が形成される感光体ドラム１２と、感光体ドラム１２の表面をある電位で一様に帯電する帯電ローラ１３と、帯電ローラ１３によって帯電された感光体ドラム１２を画像データに基づいて露光する露光装置１４と、を備えている。また、画像形成ユニット１１Ｋは、感光体ドラム１２上に形成された静電潜像を現像する現像器１５と、感光体ドラム１２の表面を清掃するドラムクリーナ１６と、を備えている。４つの画像形成ユニット１１Ｙ，１１Ｍ，１１Ｃ，１１Ｋの各々は、現像器１５に収納されるトナーを除いて略同様に構成され、各画像形成ユニット１１のそれぞれがイエロー（Ｙ）、マゼンタ（Ｍ）、シアン（Ｃ）、ブラック（Ｋ）のトナー像を形成する。
【００２５】
さらに、画像形成プロセス部１０は、各画像形成ユニット１１の各感光体ドラム１２上に形成された各色トナー像が多重転写される中間転写ベルト２０と、各画像形成ユニット１１の各色トナー像を中間転写ベルト２０に順次転写（一次転写）する一次転写ローラ２１Ｙ，２１Ｍ，２１Ｃ，２１Ｋ（以下、これらを単に「一次転写ローラ２１」ともいう）とを備えている。各画像形成ユニット１１で形成されたイエロー（Ｙ）、マゼンタ（Ｍ）、シアン（Ｃ）、ブラック（Ｋ）の各色のトナー像は、各一次転写ローラ２１により順次中間転写ベルト２０に重ね合わせて転写される。画像形成プロセス部１０は、中間転写ベルト２０上に転写されたこの重畳トナー像を二次転写部Ｔにて用紙Ｐに一括転写（二次転写）する二次転写ローラ２６と、二次転写された画像を用紙Ｐ上に定着させる定着器３０とを備えている。
【００２６】
このような中間転写ベルト２０は、当該中間転写ベルト２０を回転駆動する駆動ローラ２４、二次転写ローラ２６の対向位置に設けられたバックアップローラ２５、中間転写ベルト２０に張力を付与するテンションローラ２７、張架ローラ２８、及び一次転写ローラ２１Ｙ，２１Ｍ，２１Ｃ，２１Ｋ等により張架され、矢印Ｂ方向に循環移動する。
【００２７】
この画像形成装置１では、画像形成プロセス部１０は、制御部５０による制御により一連の画像形成動作を行う。すなわち、カラー画像を形成する場合には、ＰＣ３や画像読取装置４から入力された印刷ジョブの画像データは、画像処理部５１によって画像処理が施され、色毎の画像データが各露光装置１４に送られる。そして、例えばブラック（Ｋ）色の画像形成ユニット１１Ｋでは、帯電ローラ１３によりある電位で一様に帯電された感光体ドラム１２の表面が、露光装置１４により画像処理部５１からのＫ色画像データに基づいて露光され、感光体ドラム１２上に静電潜像が形成される。形成された静電潜像は現像器１５によりトナーで現像され、感光体ドラム１２上にはブラック（Ｋ）のトナー像が形成される。画像形成ユニット１１Ｙ，１１Ｍ，１１Ｃにおいても、同様にして、イエロー（Ｙ）、マゼンタ（Ｍ）、シアン(Ｃ)の各色のトナー像が形成される。なお、モノクロ画像を形成する場合には、ブラック（Ｋ）色の画像形成ユニット１１Ｋのみにより黒（Ｋ）のトナー像が形成される。
【００２８】
本実施の形態の画像形成装置１では、用紙搬送系として、搬送路Ｒ１，Ｒ２，Ｒ３，Ｒ４，Ｒ５を備えている。搬送路Ｒ１は、用紙収容部４０Ａ，４０Ｂ，４０Ｃからの用紙Ｐを二次転写部Ｔ及び定着器３０へ搬送するための搬送路であり、搬送路Ｒ２は、搬送路Ｒ１により搬送された用紙Ｐを用紙排出部Ｑから排出するための搬送路である。搬送路Ｒ３は、搬送路Ｒ１により搬送された用紙Ｐを用紙排出部Ｗから排出するための搬送路である。
【００２９】
搬送路Ｒ４は、両面印刷する場合に用いられる搬送路であり、搬送路３で反転させた用紙Ｐを再び搬送路Ｒ１に搬送するための搬送路である。すなわち、搬送路Ｒ４から搬送路Ｒ１へ用紙Ｐが搬送されると、二次転写部Ｔ及び定着器３０を通過することで用紙Ｐの裏面への画像形成が行われる。
【００３０】
搬送路Ｒ５は、手差し用紙収容部５６からの用紙Ｐを二次転写部Ｔに搬送するための搬送路である。また、本実施の形態の画像形成装置１では、搬送路Ｒ１を搬送される用紙を他の搬送路Ｒ２，Ｒ３，Ｒ４に切り替える切り替え部（切り替え機構、シート搬送方向切り替え装置）６０を備えている。
【００３１】
各画像形成ユニット１１で形成された各色のトナー像は、矢印Ｂ方向に循環移動する中間転写ベルト２０上に、高電圧の一次転写電源としての電源装置６１からある一次転写バイアス電圧が印加された各一次転写ローラ２１により順次静電転写され、中間転写ベルト２Ｏ上には各色のトナー像が重畳された重畳トナー像が形成される。この重畳トナー像は、中間転写ベルト２０の移動に伴って二次転写ローラ２６とバックアップローラ２５とが配置された二次転写部Ｔに向けて搬送される。
【００３２】
一方、画像形成装置１には、異なるサイズないし異なる紙種の複数の用紙Ｐ１，Ｐ２，Ｐ３（「用紙Ｐ」とも総称する）が、それぞれ用紙収容部４０Ａ，４０Ｂ，４０Ｃに収容されている。そして、制御部５０により例えば用紙Ｐ１が指定された場合には、ピックアップローラ４１により用紙収容部４０Ａから用紙Ｐ１が取り出され、搬送ローラ４２によって用紙Ｐ１がレジストローラ４３の位置まで搬送され、ここまでの搬送過程で生じたスキューが補正された後、前述の画像形成プロセス部１０へ搬送される、制御部５０により用紙Ｐ２，Ｐ３が指定された場合にも、同様である。なお、本実施の形態では、用紙収容部４０Ａ，４０Ｂ，４０Ｃのみを図示しているが、それよりも多い数の用紙収容部を備えるように構成してもよい。
【００３３】
そして、中間転写ベルト２０上の各色トナー像が二次転写部Ｔに搬送されるタイミングに合わせて、レジストローラ４３から用紙Ｐが繰り出され、高電圧の二次転写電源としての電源装置６１から電圧が二次転写部Ｔに印加される。そして、各色トナー像は、二次転写ローラ２６とバックアップローラ２５とにより形成された転写電界の作用によって用紙Ｐ上に一括して静電転写（二次転写）される。
【００３４】
その後、重畳トナー像が静電転写された用紙Ｐは、中間転写ベルト２０から剥離され、定着器３０まで搬送される。定着器３０に搬送された用紙Ｐ上の未定着のトナー像は、定着器３０によって加熱と加圧とによる定着処理を受けることで用紙Ｐ上に定着される。そして、画像が形成された用紙Ｐは、搬送路Ｒ１から搬送路Ｒ２に搬送されることで、定着後搬送ローラ４４及び搬出ローラ４５によって画像形成装置１の用紙排出部Ｑから排出され、画像形成装置１に接続された後処理装置等（図示省略）に搬送される。
【００３５】
一方、二次転写後に中間転写ベルト２０に付着しているトナー(転写残トナー)は、中間転写ベルト２０に接触して配置されたベルトクリーナ２３によって除去され、次の画像形成サイクルに備えられる。このようにして、画像形成装置１での画像形成は、指定された枚数分だけ繰り返して実行される。
【００３６】
図３は、制御部５０の電気的な接続のブロック図である。
【００３７】
制御部５０は、各種演算を行ない、各部を集中的に制御するＣＰＵ６１と、ＣＰＵ６１が実行する画像形成制御プログラム６２や各種固定データが記憶されたＲＯＭ６３と、ＣＰＵ６１の作業エリアとなるＲＡＭ６４とが接続されている。この制御部５０には、画像形成プロセス部１０、画像処理部５１、外部記億部５２などと通信を行う通信インターフェイス（Ｉ／Ｆ）６５と、ユーザが各種操作を行う操作パネル６６とが接続されている。
【００３８】
なお、画像形成プロセス部１０は、電子写真方式により画像形成する例で説明しているが、本発明はこれに限定されるものではなく、インクジェット方式、銀塩写真方式、感熱記録方式、熱転写方式など様々な手段で印刷を行う画像形成装置に適用することができる。
【００３９】
図４は、ＰＣ３の電気的な接続のブロック図である。
【００４０】
ＰＣ３は、印刷表示装置を実施するもので、各部を集中的に制御するＣＰＵ７１に、ＣＰＵ７１の作業エリアとなるＲＡＭ７２と、制御プログラム７３を含むＣＰＵ７１が実行する各種プログラムや固定データを記憶している磁気記憶装置７４と、画像形成装置１と通信を行う通信インターフェイス（Ｉ／Ｆ）７５と、マウスやキーボードなどの入力装置７６と、ＬＣＤなどの表示装置７７とが接続されている。制御プログラム７３は、画像形成装置１を制御するためのプリンタドライバである。
【００４１】
この制御プログラム７３は、インターネットから搬送波の形態でダウンロードして、磁気記憶装置７４にセットアップしても良いし、制御プログラム７３を記憶したＣＤ，ＤＶＤ，ＭＯなどの記憶媒体から当該制御プログラム７３をＣＤドライブ、ＤＶＤドライブなどの読取装置で読み取り、磁気記憶装置７４にセットアップしても良い。
【００４２】
制御プログラム７３はプレビュー機能を備えている。すなわち、画像データで印刷を行う前に印刷媒体である用紙に当該画像データに基づいて印刷したときの印刷態様を生成し、これを表示装置７７に表示して、印刷結果を印刷前に確認することができる。
【００４３】
以下では、このプレビュー機能の詳細について説明する。
【００４４】
図５は、外部記憶部５２などに記憶されている用紙収容部設定テーブルの説明図である。
【００４５】
用紙収容部設定テーブルは、各用紙収容部４０Ａ，４０Ｂ，４０Ｃ（以下、これらを用紙収容部１〜３ともいう）ごとに、「特殊用紙設定情報」と「プレビュー背景指定情報」とを設定することができる。
【００４６】
ここでいう特殊用紙とは、普通紙などとは異なる画像や色などが予め付された用紙であり、例えば、罫線や印影などが予め表示されたプレプリント用紙や、赤、青などの色に予め着色されている着色用紙などがある。
【００４７】
「特殊用紙設定情報」には、ある用紙収容部にこれらの特殊用紙が収容されている場合に、特殊用紙の収容を示す識別子を設定する。図５の例では、用紙収容部１に特殊紙（プレプリント用紙）、用紙収容部２にも特殊紙（着色用紙）がそれぞれ設定され、用紙収容部３には設定されていない（普通紙などが収容されている）。
【００４８】
「プレビュー背景指定情報」には、「特殊用紙設定情報」で特殊紙の設定がある場合に後述のとおりプレビュー画像で背景として使用する画像の画像データを特定する識別子が登録される。これにより、当該各画像データはいずれかの用紙収容部とプレビュー背景指定情報を介して関連付けられている。図５の例では、プレプリント用紙が収容されている用紙収容部１には「sample 1」という画像データの識別子が登録され、用紙収容部２には「赤」という画像データの識別子が登録されている。用紙収容部３には特殊紙の設定がされていないので画像データの識別子の登録もない。この画像データは、ＰＣ３の磁気記憶装置７４に記憶されていて、最初から磁気記憶装置７４に登録されていたデータもあれば（用紙収容部設定テーブルには「Default」として示されている）、ユーザがスキャナで読み取ったり、画像作成ソフトで作成したりしたデータも含まれる。
【００４９】
図６は、用紙収容部設定テーブルへの登録処理を示すフローチャートである。
【００５０】
この登録処理は、画像形成装置１の操作パネル６６を操作して行う。すなわち、制御部５０（のＣＰＵ６１）は、操作パネル６６の操作により、何れかの用紙収容部を選択して（ステップＳ１のＹ）、特殊用紙設定情報を入力し（ステップＳ２のＹ）、プレビュー背景指定情報を入力すると（ステップＳ３のＹ）、入力した特殊用紙設定情報、プレビュー背景指定情報が、ステップＳ１で選択された用紙収容部と関連付けられて用紙収容部設定テーブルに登録される（ステップＳ４）。
【００５１】
次に、ＰＣ３におけるプレビュー画像表示処理について説明する。
【００５２】
図７は、プレビュー画像表示処理のフローチャートである。
【００５３】
まず、ユーザがＰＣ３のアプリケーションソフトで印刷データを作成し、制御プログラム７３のプリンタドライバで当該印刷データを画像形成装置１で印刷出力するための印刷条件（用紙サイズや何れの用紙収容部を使用するか等）を入力し（ステップＳ１１のＹ）、プレビューの実行を指示すると（ステップＳ１２のＹ）、ＣＰＵ７１は、印刷データからステップＳ１１で入力した印刷条件（あるいは、印刷条件に画像形成装置１の状態を加味した最終的な印刷出力情報）を考慮してプレビュー画像を生成する（ステップＳ１３）。
【００５４】
次に、画像形成装置１から用紙収容部設定テーブルの情報を取得する（ステップＳ１４）。そして、用紙収容部設定テーブルにおいてステップＳ１１で入力した印刷条件で給紙することになる用紙収容部において特殊用紙設定情報に特殊用紙ありの設定がされているか否かを判断する（ステップＳ１５）。
【００５５】
特殊用紙ありの設定がされているときは（ステップＳ１５のＹ）、用紙収容部設定テーブルのプレビュー背景指定情報により識別される画像データを特定し、この画像データの画像を背景としてステップＳ１３で生成したプレビュー画像に重ねあわせ、プレビュー画像を再生成する（ステップＳ１６）。
【００５６】
そして、ステップＳ１６で再生成したプレビュー画像があるときは当該画像、そうでないときはステップＳ１３で生成したプレビュー画像を表示装置７７に表示する（ステップＳ１７）。
【００５７】
図８〜図１１は、ステップＳ１６のプレビュー画像の再生成について説明する説明図である。
【００５８】
まず、ステップＳ１３で生成したプレビュー画像の例が図８であり、プレビュー背景指定情報により特定される画像データの画像が図９のプレプリント用紙であるとすると、図８の画像に図９の画像が背景として重ねあわされて図１０に示すようなプレビュー画像の再生成がなされることになる。この例では背景となる図９の画像は罫線などが予め印刷されたプレプリント用紙のイメージ画像となっているが、図１１に示すように、印刷用紙がプレプリント用紙であるというメッセージを表示した画像を背景の画像とし、図１１の画像のようなプレビュー画像を再生成してもよい。
【００５９】
以上説明したプレビュー機能によれば、罫線などの画像や色などが表示された特殊用紙で印刷が行われる場合でも、印刷の画像データを特殊用紙に印刷したときの印刷態様を表示装置７７に表示する処理を現実に印刷される特殊用紙に合わせて正確に行う。
【００６０】
なお、前述の例では用紙収容部が複数台用意され、複数の用紙収容部にそれぞれ別々の特殊用紙が収納され得る例であるため、プレビュー背景指定情報を使用したが、用紙収容部が単体のみである場合は収容しうる特殊用紙も１種類であるため、プレビュー背景指定情報を使用しなくても背景となる画像を特定することができる。
【００６１】
また、ユーザが画像データの印刷実行を指示したときに、画像形成装置１から用紙収容部設定テーブルの特殊用紙設定情報を取得し、ユーザが印刷に使用しようとしているのが特殊用紙を収容した用紙収容部であるか否かを特殊用紙設定情報により判断し、特殊用紙を収容した用紙収容部であるときは、特殊用紙で印刷しようとしている旨を警告するメッセージを表示してユーザに報知するようにしても良い。
【図面の簡単な説明】
【００６２】
【図１】本発明の一実施の形態である画像形成システムの概略構成を示す説明図である。
【図２】本発明の一実施の形態である画像形成装置の概略構成を示す説明図である。
【図３】画像形成装置の制御部の電気的な接続のブロック図である。
【図４】パーソナルコンピュータの電気的な接続のブロック図である。
【図５】用紙収容部設定テーブルの説明図である。
【図６】用紙収容部設定テーブルへの登録処理を示すフローチャートである。
【図７】プレビュー画像表示処理のフローチャートである。
【図８】プレビュー画像を再生成について説明する説明図である。
【図９】プレビュー画像を再生成について説明する説明図である。
【図１０】プレビュー画像を再生成について説明する説明図である。
【図１１】プレビュー画像を再生成について説明する説明図である。
【符号の説明】
【００６３】
１    画像形成装置
３    パーソナルコンピュータ
【図１】
2010066882.tif 000003
【図２】
2010066882.tif 000004
【図３】
2010066882.tif 000005
【図４】
2010066882.tif 000006
【図５】
2010066882.tif 000007
【図６】
2010066882.tif 000008
【図７】
2010066882.tif 000009
【図８】
2010066882.tif 000010
【図９】
2010066882.tif 000011
【図１０】
2010066882.tif 000012
【図１１】
2010066882.tif 000013